(57)【要約】【課題】時計手段を有するネットワーク端末において、ネットワークを介して接続されたタイムサーバから柔軟に現在時刻情報を取得する。【解決手段】タイムサーバ設定部１０４は、時計手段１１２を調整するための現在時刻情報の取得先のタイムサーバを設定するために、ネットワーク２５０に対してブロードキャスト送信でタイムサーバの検索を行い、最初に応答のあったタイムサーバを取得先のタイムサーバとして仮設定する。提示処理部１１０は、タイムサーバ設定部１０４が仮設定したタイムサーバに関する情報を提示するとともに、タイムサーバの再検索の要否の問い合わせをユーザに提示する。タイムサーバ設定部１０４は、ユーザから再検索が不要である旨の指示があった場合に、仮設定したタイムサーバを取得先のタイムサーバとして設定する。【選択図】図１
2008079006.tif 000002
【特許請求の範囲】
【請求項１】
時計手段を有するとともに、ネットワークに接続されたネットワーク端末であって、
前記時計手段を調整するための現在時刻情報の取得先のタイムサーバを設定するために、前記ネットワークに対してブロードキャスト送信でタイムサーバの検索を行い、最初に応答のあったタイムサーバを前記取得先のタイムサーバとして仮設定するとともに、所定の条件を満たしたと判断すると仮設定した前記タイムサーバを前記取得先のタイムサーバとして確定して設定するタイムサーバ設定部と、
前記タイムサーバ設定部が前記取得先のタイムサーバの仮設定を行ったときに、当該タイムサーバに関する情報を提示するとともに、前記取得先のタイムサーバとして設定するタイムサーバの再検索を行うか否かの問い合わせを提示する提示処理部と、
前記タイムサーバ設定部が前記取得先のタイムサーバを設定すると、当該タイムサーバと通信を開始し、現在時刻情報を取得する時刻情報取得部と、
前記時刻情報取得部が取得した前記現在時刻情報に基づき、前記時計手段の現在時刻を調整する調整部と、
を含み、
前記タイムサーバ設定部は、前記提示処理部による前記問い合わせに対し、ユーザから再検索を行わない旨の指示があった場合に、前記所定の条件を満たしたと判断し、前記問い合わせに対し、ユーザから再検索を行う旨の指示があった場合に、再度前記ネットワークに対してブロードキャスト送信でタイムサーバの検索を行い、最初に応答のあったタイムサーバを前記取得先のタイムサーバとして仮設定しなおすネットワーク端末。
【請求項２】
請求項１に記載のネットワーク端末において、
前記提示処理部は、前記タイムサーバのドメイン名またはＩＰアドレスを当該タイムサーバに関する情報として提示するネットワーク端末。
【請求項３】
請求項１または２に記載のネットワーク端末において、
前記時刻情報取得部は、取得した前記現在時刻情報が適正か否かを判断し、
前記タイムサーバ設定部は、前記時刻情報取得部が取得した前記現在時刻情報が適正でないと判断した場合、再度前記ネットワークに対してブロードキャスト送信でタイムサーバの検索を行い、最初に応答のあったタイムサーバを前記取得先のタイムサーバとして仮設定しなおすネットワーク端末。
【請求項４】
請求項１から３いずれかに記載のネットワーク端末において、
前記タイムサーバ設定部および前記時刻情報取得部は、ＳＮＴＰ（Simple Network Time Protocol）により、前記タイムサーバと通信するネットワーク端末。
【請求項５】
コンピュータを、
ネットワークに接続する手段、
時計手段を調整するための現在時刻情報の取得先のタイムサーバを設定するために、前記ネットワークに対してブロードキャスト送信でタイムサーバの検索を行い、最初に応答のあったタイムサーバを前記取得先のタイムサーバとして仮設定するとともに、所定の条件を満たしたと判断すると仮設定した前記タイムサーバを前記取得先のタイムサーバとして確定して設定するタイムサーバ設定手段、
前記タイムサーバ設定手段が前記取得先のタイムサーバの仮設定を行ったときに、当該タイムサーバに関する情報を提示するとともに、前記取得先のタイムサーバとして設定するタイムサーバの再検索を行うか否かの問い合わせを提示する提示処理手段、
前記タイムサーバ設定手段が前記取得先のタイムサーバを設定すると、当該タイムサーバと通信を開始し、現在時刻情報を取得する時刻情報取得手段、
前記時刻情報取得手段が取得した前記現在時刻情報に基づき、前記時計手段の現在時刻を調整する調整手段、
として機能させ、
前記タイムサーバ設定手段は、前記提示処理手段による前記問い合わせに対し、ユーザから再検索を行わない旨の指示があった場合に、前記所定の条件を満たしたと判断し、前記問い合わせに対し、ユーザから再検索を行う旨の指示があった場合に、再度前記ネットワークに対してブロードキャスト送信でタイムサーバの検索を行い、最初に応答のあったタイムサーバを前記取得先のタイムサーバとして仮設定しなおすプログラム。
【発明の詳細な説明】
【技術分野】
【０００１】
この発明は、ネットワーク端末に関する。
【背景技術】
【０００２】
近年、ネットワーク技術の普及に伴い、ＰＣ等の端末がインターネット等のネットワークに常時接続可能となっている。また、たとえばファクシミリ機能を有する複合機もネットワークに接続されるようになっている。このようなＰＣや複合機等は、通常、時計回路を内蔵している。複合機では、内蔵している時計回路から出力される時間情報に基づき、通信管理を行う。また、たとえばスキャナ装置においても、スキャナで読み取ったデータと、読み取ったときの時間情報とを対応づけて記憶することがある。そのため、このような複合機において、時計回路の時間を正確に保つことは重要である。
【０００３】
特許文献１には、起動時、または内蔵しているソフトウェアのアップデート時などの初期化動作時に、上位のｎｔｐサーバより、ＮＴＰを用いて現在時刻を取得して、内蔵の時計手段へセットするネットワークファクシミリ装置が開示されている。これにより、時計手段から出力される現在時刻情報が正確な値となり、その結果、ネットワークファクシミリ装置は、適切な時刻に基づいた動作を行うことができる、とされている。
【０００４】
特許文献１に記載のネットワークファクシミリ装置においては、いずれかのｎｔｐサーバが実行中でない場合等にも時刻合わせを行うことができるように、複数のｎｔｐサーバを登録したｎｔｐサーバテーブルを記憶し、優先順位に従ってｎｔｐサーバを選択し、選択したｎｔｐサーバへ時刻合わせ要求を行うようにしている。しかし、このように、複数のｎｔｐサーバを予め登録したり、優先順位を設定するのは、ユーザにとって手間になる。また、ネットワーク環境の変化により、新たなｎｔｐサーバが追加されたり、ｎｔｐサーバテーブルに登録されていたｎｔｐサーバが取り外された場合に、不具合が生じる可能性がある。
【０００５】
また、複合機等のネットワーク端末の時計手段の時刻を補正するために、ＮＴＰ（Network Time Protocol）サーバやＳＮＴＰ（Simple Network Time Protocol）サーバを検索して自動的に設定する技術もある。この場合、自動設定をオンとしておくと、ＮＴＰサーバおよびＳＮＴＰサーバを検索してＮＴＰサーバが設定される。ネットワーク端末は、設定されたＮＴＰサーバと定期的に通信してＮＴＰサーバと時刻の同期をとり、自動的に自装置の時計手段の時刻を補正する。
【０００６】
このような自動設定が行われる場合、通常、ネットワーク端末が接続されたネットワークにブロードキャストで検索を行い、一番早くレスポンスを返してきたＮＴＰサーバが通信対象として設定される。
【特許文献１】特開２０００−５０００４号公報
【発明の開示】
【発明が解決しようとする課題】
【０００７】
しかし、従来、ＮＴＰサーバの自動設定が行われた場合、ユーザインターフェースには設定されたＮＴＰサーバの情報が示されないため、ユーザは設定されたＮＴＰサーバを把握することができなかった。一旦設定されたＮＴＰサーバにエラーが生じて正しい時刻情報が取得できなくなった場合、ネットワーク端末は、ＮＴＰサーバの検索をやりなおす。しかし、このときエラーが発生しているＮＴＰサーバからのレスポンスが一番早いと、そのＮＴＰサーバを再度通信対象として設定されてしまい、時刻の自動補正が行えなくなるという問題があった。
【０００８】
本発明はこうした点に鑑みてなされたもので、その目的は、時計手段を有するネットワーク端末において、ネットワークを介して接続されたタイムサーバから柔軟に現在時刻情報を取得する技術の提供にある。
【課題を解決するための手段】
【０００９】
本発明によれば、
時計手段を有するとともに、ネットワークに接続されたネットワーク端末であって、
前記時計手段を調整するための現在時刻情報の取得先のタイムサーバを設定するために、前記ネットワークに対してブロードキャスト送信でタイムサーバの検索を行い、最初に応答のあったタイムサーバを前記取得先のタイムサーバとして仮設定するとともに、所定の条件を満たしたと判断すると仮設定した前記タイムサーバを前記取得先のタイムサーバとして確定して設定するタイムサーバ設定部と、
前記タイムサーバ設定部が前記取得先のタイムサーバの仮設定を行ったときに、当該タイムサーバに関する情報を提示するとともに、前記取得先のタイムサーバとして設定するタイムサーバの再検索を行うか否かの問い合わせを提示する提示処理部と、
前記タイムサーバ設定部が前記取得先のタイムサーバを設定すると、当該タイムサーバと通信を開始し、現在時刻情報を取得する時刻情報取得部と、
前記時刻情報取得部が取得した前記現在時刻情報に基づき、前記時計手段の現在時刻を調整する調整部と、
を含み、
前記タイムサーバ設定部は、前記提示処理部による前記問い合わせに対し、ユーザから再検索を行わない旨の指示があった場合に、前記所定の条件を満たしたと判断し、前記問い合わせに対し、ユーザから再検索を行う旨の指示があった場合に、再度前記ネットワークに対してブロードキャスト送信でタイムサーバの検索を行い、最初に応答のあったタイムサーバを前記取得先のタイムサーバとして仮設定しなおすネットワーク端末が提供される。
【００１０】
このようにすれば、タイムサーバ設定部が仮設定を行ったときに、ユーザは当該タイムサーバに関する情報を把握して、再検索の要否の指示を行うことができる。そのため、過去にエラーが発生したタイムサーバが再度仮設定された場合、ユーザは再検索の指示を行うことができる。これにより、エラーの生じたタイムサーバが再度設定される可能性を減らし、時刻の自動補正を精度よく行うことができる。
【００１１】
ここで、前記提示処理部は、前記タイムサーバのドメイン名またはＩＰアドレスを当該タイムサーバに関する情報として提示することができる。
【００１２】
また、前記時刻情報取得部は、取得した前記現在時刻情報が適正か否かを判断することができ、前記タイムサーバ設定部は、前記時刻情報取得部が取得した前記現在時刻情報が適正でないと判断した場合、再度前記ネットワークに対してブロードキャスト送信でタイムサーバの検索を行い、最初に応答のあったタイムサーバを前記取得先のタイムサーバとして仮設定しなおすことができる。
【００１３】
また、タイムサーバは、ＮＴＰサーバとすることができる。前記タイムサーバ設定部および前記時刻情報取得部は、ＳＮＴＰ（Simple Network Time Protocol）により、前記タイムサーバと通信することができる。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、時計手段を有するネットワーク端末において、ネットワークを介して接続されたタイムサーバから柔軟に現在時刻情報を取得することができる。
【発明を実施するための最良の形態】
【００１６】
以下の実施の形態において、ネットワーク端末がネットワーク複合機である場合を例として説明する。
【００１７】
図１は、本実施の形態におけるネットワーク複合機の構成を示すブロック図である。
ネットワーク複合機１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００１８】
ネットワーク複合機１００は、通信制御部１０２、タイムサーバ設定部１０４、時刻情報取得部１０６、調整部１０８、提示処理部１１０、時計手段１１２、設定記憶部１１４、ディスプレイ１２０、および操作部１２２を含む。時計手段１１２は、内部クロックにより時刻を計時し、日時を出力する。時計手段１１２は、たとえばネットワーク複合機１００のネットワーク基板上に設けられてもよい。
【００１９】
ネットワーク複合機１００は、たとえば、ファクシミリ送受信機能、スキャナ機能、およびプリンタ機能等を有するネットワークファクシミリ装置やＭＦＰ（Multi Functional Peripheral）等とすることができる。また、ネットワーク複合機１００は、これらのすべての機能を有する必要はなく、たとえばファクシミリ送受信機能を有しない構成とすることもできる。なお、図１において、本発明の本質に関わらない部分の構成については省略してあり、たとえば、ファクシミリ送受信機能やスキャナ機能を有するネットワーク複合機１００の構成である原稿読み取り部、画像処理部、および記録部等は図示していない。
【００２０】
通信制御部１０２は、ネットワーク２５０に接続された他の端末との通信を制御する。ネットワーク複合機１００は、通信制御部１０２を介してネットワーク２５０に接続される。本実施の形態において、ネットワーク２５０にタイムサーバ２００、タイムサーバ２０２、およびタイムサーバ２０４等が接続されている場合を例として示す。タイムサーバ２００、タイムサーバ２０２、およびタイムサーバ２０４は、ＳＮＴＰ（Simple Network Time Protocol）やＮＴＰ（Network Time Protocol）により、現在時刻情報をクライアント端末に提供するＮＴＰサーバやＳＮＴＰサーバとすることができる。
【００２１】
ここで、ネットワーク２５０は、たとえばＬＡＮ等のローカルネットワークとすることができる。タイムサーバ２００、タイムサーバ２０２、およびタイムサーバ２０４は、ネットワーク２５０やインターネット等他のネットワークを介して、上位のタイムサーバに接続し、精度の高い現在時刻情報を取得する構成とすることができる。タイムサーバ２００、タイムサーバ２０２、およびタイムサーバ２０４は、たとえばハブ等に内蔵された構成とすることができる。
【００２２】
設定記憶部１１４は、タイムサーバから現在時刻情報を取得する際の各種設定を記憶する。たとえば、設定記憶部１１４は、ネットワーク複合機１００において、時刻の自動補正を行うか否かの設定を記憶する。また、たとえば、設定記憶部１１４は、現在時刻情報を取得する取得先のタイムサーバを自動取得するか否かの設定を記憶する。現在時刻情報を取得する取得先のタイムサーバを自動取得しない設定となっている場合、設定記憶部１１４は、取得先のタイムサーバのＩＰアドレス等の情報も記憶することができる。設定記憶部１１４の設定は、ネットワーク複合機１００の操作部１２２や、ネットワーク複合機１００とネットワークを介して接続されたＰＣ端末の画面から行うことができる。
【００２３】
タイムサーバ設定部１０４は、時計手段１１２を調整するための現在時刻情報の取得先のタイムサーバを設定する。本実施の形態において、タイムサーバ設定部１０４は、設定記憶部１１４を参照して、時刻の自動補正を行うことが設定されている場合に、タイムサーバの設定を行う。
【００２４】
タイムサーバ設定部１０４は、設定記憶部１１４を参照して、現在時刻情報を取得する取得先のタイムサーバを自動取得する設定となっている場合に、以下の手順で取得先のタイムサーバを設定する。まず、ネットワーク２５０に対してブロードキャスト送信でタイムサーバの検索を行う。タイムサーバ設定部１０４は、たとえば、ネットワーク２５０に対して、ポート１２３のＵＤＰ（User Datagram Protocol）のブロードキャスト送信でタイムサーバの検索を行うことができる。次いで、最初に応答のあったタイムサーバを取得先のタイムサーバとして仮設定する。その後、タイムサーバ設定部１０４は、所定の条件を満たしたと判断した場合に、仮設定したタイムサーバを取得先のタイムサーバとして確定して設定する。
【００２５】
提示処理部１１０は、タイムサーバ設定部１０４が取得先のタイムサーバの仮設定を行ったときに、当該タイムサーバに関する情報を提示するとともに、取得先のタイムサーバとして設定するタイムサーバの再検索を行うか否かの問い合わせを提示する処理を行う。本実施の形態において、提示処理部１１０は、ディスプレイ１２０にこれらを表示する。
【００２６】
図２は、ディスプレイ１２０に提示される画面を示す図である。本実施の形態において、提示処理部１１０は、仮設定されたタイムサーバに関する情報として、そのタイムサーバのサーバ名、ＩＰアドレスおよびドメイン名を表示する。提示処理部１１０は、タイムサーバのサーバ名、ＩＰアドレスおよびドメイン名の中の一つのみを表示するのでもよい。提示処理部１１０は、ユニキャストでタイムサーバを検索したときにも、当該タイムサーバのサーバ名、ＩＰアドレスおよびドメイン名のいずれかを表示してもよい。また、ここで、「再検索しますか？」という問い合わせ、ならびに「はい」および「いいえ」のボタンが表示される。
【００２７】
図１に戻り、タイムサーバ設定部１０４は、提示処理部１１０による問い合わせに対し、ユーザから再検索を行わない旨の指示があった場合に、所定の条件を満たしたと判断して仮設定したタイムサーバを取得先のタイムサーバとして確定して設定する。すなわち、図２に示したディスプレイ１２０において、ユーザが「いいえ」を選択したときにこの処理が行われる。
【００２８】
一方、タイムサーバ設定部１０４は、提示処理部１１０による問い合わせに対し、ユーザから再検索を行う旨の指示があった場合に、再度ネットワーク２５０に対してブロードキャスト送信でタイムサーバの検索を行い、最初に応答のあったタイムサーバを取得先のタイムサーバとして仮設定しなおす。すなわち、図２に示したディスプレイ１２０において、ユーザが「はい」を選択したときにこの処理が行われる。ユーザからの指示は、操作部１２２を介して入力される。
【００２９】
また、タイムサーバ設定部１０４は、設定記憶部１１４を参照して、現在時刻情報を取得する取得先のタイムサーバを自動取得する設定となっていない場合、設定記憶部１１４に記憶された取得先のタイムサーバのＩＰアドレスにユニキャスト送信し、当該タイムサーバの検索を行う。タイムサーバから応答があると、そのタイムサーバを取得先のタイムサーバとして確定して設定する。
【００３０】
時刻情報取得部１０６は、タイムサーバ設定部１０４が取得先のタイムサーバを設定すると、当該タイムサーバと通信を開始し、現在時刻情報を取得する。時刻情報取得部１０６は、たとえばＳＮＴＰにより、ネットワーク２５０に接続されたタイムサーバに接続して現在時刻情報を取得することができる。
【００３１】
本実施の形態において、時刻情報取得部１０６は、たとえば、タイムサーバから、現在時刻情報を含むＵＤＰパケットを受信する。また、時刻情報取得部１０６は、タイムサーバから受信したデータが適正であるか否かを判断することができる。具体的には、時刻情報取得部１０６は、タイムサーバから受信したデータがＳＮＴＰフォーマットであるか、ＳＮＴＰフレームに誤差がないか等を判断する。
【００３２】
調整部１０８は、時刻情報取得部１０６が取得した現在時刻情報に基づき、時計手段１１２の現在時刻を調整する。これにより、時計手段１１２が出力する日時が正確に保たれる。
【００３３】
図３は、本実施の形態におけるネットワーク複合機１００により、現在時刻情報を取得し、時計手段１１２を調整する手順を示すフローチャートである。
たとえば、ネットワーク複合機１００の初期起動時等、タイムサーバ設定部１０４は、設定記憶部１１４を参照し、時計手段１１２の時刻を自動補正する設定となっているか否かを判断する（Ｓ１００）。自動補正する設定となっている場合（Ｓ１００のＹＥＳ）、タイムサーバ設定部１０４は、タイムサーバ（ＮＴＰサーバ）の自動取得が設定されているか否かを判断する（Ｓ１０２）。タイムサーバの自動取得が設定されている場合（Ｓ１０２のＹＥＳ）、タイムサーバ設定部１０４は、ネットワーク２５０に対してブロードキャスト送信でタイムサーバの検索を行う（Ｓ１０４）。いずれかのタイムサーバから返信があると（Ｓ１０６のＹＥＳ）、タイムサーバ設定部１０４は、当該タイムサーバを現在時刻情報の取得先のタイムサーバとして仮設定する（Ｓ１０８）。
【００３４】
提示処理部１１０は、タイムサーバ設定部１０４からの通知に基づき、タイムサーバ設定部１０４が仮設定したタイムサーバのドメイン名およびＩＰアドレスをディスプレイ１２０に表示する（Ｓ１１０）。提示処理部１１０は、このとき、タイムサーバの再検索を行うか否かの問い合わせもディスプレイ１２０に表示する。ユーザからの指示により、タイムサーバの再検索が必要な場合（Ｓ１１２のＹＥＳの場合）、ステップＳ１０４に戻り、同様の処理を繰り返す。すなわち、タイムサーバの検索および仮設定を再度行う。
【００３５】
ステップＳ１１２において、タイムサーバの再検索が必要ない場合（Ｓ１１２のＮＯ）、ステップＳ１０８で仮設定されたタイムサーバを現在時刻情報の取得先のタイムサーバとして確定して設定する（Ｓ１１４）。つづいて、時刻情報取得部１０６は、設定されたタイムサーバと通信を開始し、現在時刻情報を取得する（Ｓ１１６）。
【００３６】
時刻情報取得部１０６が、設定されたタイムサーバから現在時刻情報が取得できない場合や、取得した現在時刻情報が正確でない等のエラーを検出すると（Ｓ１１８のＹＥＳ）、ステップＳ１０４に戻り、再度タイムサーバの検索を行い、同様の処理を繰り返す。
【００３７】
一方、ステップＳ１０２で、タイムサーバの自動取得が設定されていない場合（Ｓ１０２のＮＯ）、タイムサーバ設定部１０４は、ユニキャスト送信でタイムサーバを検索する（Ｓ１２０）。当該タイムサーバから返信があると（Ｓ１２１のＹＥＳ）、タイムサーバ設定部１０４は、そのタイムサーバを現在時刻の取得先のタイムサーバとして設定する（Ｓ１２２）。
【００３８】
提示処理部１１０は、タイムサーバ設定部１０４からの通知に基づき、タイムサーバ設定部１０４が設定したタイムサーバのドメイン名およびＩＰアドレスをディスプレイ１２０に表示する（Ｓ１２４）。次いで、時刻情報取得部１０６は、タイムサーバ設定部１０４が設定したタイムサーバと通信を開始し、現在時刻情報を取得する（Ｓ１２６）。時刻情報取得部１０６がエラーを検出すると（Ｓ１２８のＹＥＳ）、提示処理部１１０は、ディスプレイ１２０にエラー表示を行う（Ｓ１３０）。ステップＳ１０６においてタイムサーバからの返信がない場合（Ｓ１０６のＮＯ）、またはステップＳ１２１でタイムサーバから返信がない場合（Ｓ１２１のＮＯ）も、ステップＳ１３０に進み、エラー表示が行われる。また、エラーは、ネットワーク複合機１００の表示部（不図示）や、ネットワーク複合機１００とネットワークで接続されたＰＣ端末の画面に表示してもよい。
【００３９】
以上説明したように、本実施の形態におけるネットワーク複合機１００によれば、ネットワーク複合機１００の時計手段１１２が出力する時刻情報を正確に保つことができる。これにより、たとえばネットワーク複合機１００で取り扱うデータに正確なタイムスタンプを付して、当該データを記憶しておくことができる。ネットワーク複合機１００は、データにタイムスタンプとともに、その直前に現在時刻情報を送信してきたタイムサーバのＩＰアドレス等、そのタイムサーバを識別する情報も対応づけて記憶することができる。これにより、各データに付されたタイムスタンプが、どのタイムサーバからの情報に基づき調整されたものかを把握することができ、タイムスタンプの信頼性を判断することもできる。
【００４０】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４１】
以上の実施の形態において、提示処理部１１０がディスプレイ１２０にタイムサーバのＩＰアドレス等を表示する例を示したが、提示処理部１１０は、ネットワーク複合機１００とネットワークで接続されたＰＣ端末の画面にこれらの情報を表示してもよい。図３のステップＳ１３０の処理は、エラーの表示だけでなく、エラー通知等としてもよい。
【図面の簡単な説明】
【００４２】
【図１】本発明の実施の形態におけるネットワーク複合機の構成の一例を示すブロック図である。
【図２】ディスプレイに表示される画面の一例を示す図である。
【図３】本発明の実施の形態におけるネットワーク複合機の処理手順を示すフローチャートである。
【符号の説明】
【００４３】
１００ ネットワーク複合機
１０２ 通信制御部
１０４ タイムサーバ設定部
１０６ 時刻情報取得部
１０８ 調整部
１１０ 提示処理部
１１２ 時計手段
１１４ 設定記憶部
１２０ ディスプレイ
１２２ 操作部
２００ タイムサーバ
２０２ タイムサーバ
２０４ タイムサーバ
２５０ ネットワーク
【図１】
2008079006.tif 000003
【図２】
2008079006.tif 000004
【図３】
2008079006.tif 000005